(57)【要約】【課題】飲用可能な状態にあるボトル内に外部から異物が侵入する虞がなく、また内部の飲料物が零れる虞のないボトルの飲用キャップを提供すること。【解決手段】ボトル１の開口２ａに水密に装着する係止部１１を備え、天井部１０ａに挿嵌され、一端１２ａがボトル内に臨み、他端１２ｂが外部に露出する吸引ストロー１２を備え、天井部に通気孔が形成され、該通気孔に外部からの異物の侵入を防ぐフィルタ１４を備えたボトルの飲用キャップ１０とした。【選択図】図１
0003172476.tif 000002
【実用新案登録請求の範囲】
【請求項１】
ボトルの開口に水密に装着する係止部を備え、天井部に挿嵌され、一端が前記ボトル内に臨み、他端が外部に露出する吸引ストローを備え、前記天井部に孔が形成され、該孔に外部からの異物の侵入を防ぐフィルタを備えたことを特徴とする、ボトルの飲用キャップ。
【請求項２】
前記吸引ストローの一端が、前記ボトルの内底部周縁に位置するように設定されていることを特徴とする、請求項１に記載のボトルの飲用キャップ。
【考案の詳細な説明】
【技術分野】
【０００１】
本考案は、ボトルの飲用キャップに関するもので、詳しくは、ボトル内の飲料物の吸引を容易にした飲用キャップに関するものである。
【背景技術】
【０００２】
ボトル内の飲料物を零れないように飲み易くするために、キャップにストローを差込み、そのストローでボトル内の飲料物を吸い込むようにした飲用キャップはある（例えば、特許文献１）。
【０００３】
この特許文献１に開示されたキャップは、キャップの天井部に、ストロー挿入孔と空気取入れ用孔が形成されているもので、販売時は、それらがキャップの天井部に貼設された閉塞紙によって閉塞されており、飲用する際に、閉塞紙を剥して、ストロー挿入孔と空気取入れ用孔を開口させ、ストロー挿入孔にストローを挿入し、ボトル内の飲料物を該ストローによって吸引するものである。
【先行技術文献】
【特許文献】
【０００４】
【特許文献１】登録実用新案第３１２８９７８号公報
【考案の概要】
【考案が解決しようとする課題】
【０００５】
ところで、上記特許文献１のキャップでは、閉塞紙を剥した後は、空気取入れ用孔を介してボトル内部が外部に開放されているため、雑菌や塵埃等がボトル内に混入する虞がある。また、該孔からボトル内の飲料物が零れる虞がある。
【０００６】
本考案は、このような事情に鑑みて、飲用可能な状態にあるボトル内に外部から異物が侵入する虞がなく、また内部の飲料物が零れる虞のないボトルの飲用キャップを提供することを目的としている。
【課題を解決するための手段】
【０００７】
上記した目的を達成するため、請求項１のボトルの飲用キャップは、ボトルの開口に水密に装着する係止部を備え、天井部に挿嵌され、一端が前記ボトル内に臨み、他端が外部に露出する吸引ストローを備え、前記天井部に孔が形成され、該孔に外部からの異物の侵入を防ぐフィルタを備えたことを特徴とする。
【０００８】
また、請求項２のボトルの飲用キャップは、前記請求項１に記載の考案において、前記吸引ストローの一端が、前記ボトルの内底部周縁に位置するように設定されていることを特徴とする。
【考案の効果】
【０００９】
上記した請求項１のボトルの飲用キャップによれば、空気取入れ用孔にフィルタが装填されているので、外部から異物が混入する虞がなく、内部飲用物を衛生的に維持することができる。
また、誤ってボトルを倒しても、フィルタによって内部飲用物が外部に漏れ出るのを低減させることができる。
【００１０】
また、上記した請求項２のボトルの飲用キャップによれば、前記の効果に加え、ストローの先端がボトルの内部底面の周縁に位置しているので、飲料物を残すことなく飲み干すことができる。
【図面の簡単な説明】
【００１１】
【図１】本考案に係るボトルの飲用キャップを装着した状態のボトルを示した断面図である。
【考案を実施するための形態】
【００１２】
以下、本考案に係るボトルの飲用キャップを、図面に示した一実施の形態に基づいて、詳細に説明する。
【００１３】
図示したボトル１は、飲料物（水、お茶等の液体状飲料水）を収容するペットボトルであり、上部に飲み口としての筒状部２を備え、底壁３の中央部３ａが内部に凹んでいる。そして、筒状部２の外周面には雄ねじ４が形成されている。
そして、このボトル１の筒状部２の雄ねじ４には、販売の際に、図示しない密閉蓋が螺合されている。
【００１４】
一方、本考案に係る飲用キャップ１０は、飲料物を飲む際に、ボトル１の筒状部２から密閉蓋を外し、筒状部２に、開口２ａを覆うようにして装着される。
【００１５】
飲用キャップ１０は、天井部１０ａを有する筒状体によって構成され、該筒状壁１０ｂの内周面に雌ねじ１１を備えている。この雌ねじ１１は、上記ボトル１の筒状部２に形成した雄ねじ４に螺合し、飲用キャップ１０をボトル１の筒状部２に水密状態に係止する。
【００１６】
飲用キャップ１０の天井部１０ａには、孔が貫設され、その孔に吸引ストロー１２が挿入固定されている。この吸引ストロー１２は、一端１２ａがボトル内部の下部底壁３の周縁部３ｂに達して位置され、他端１２ｂが外部に露出されている。
【００１７】
また、飲用キャップ１０の天井部１０ａには、別の孔が形成され、その孔に通気パイプ１３が挿嵌固定されている。この通気パイプ１３は、上端部開口が拡大され、その拡大部１３ａにフィルタ１４が装填されている。
【００１８】
フィルタ１４は、外部から異物、例えば、塵埃，雑菌等が侵入するのを防止するもので、吸引ストロー１２からボトル１内の飲料物を吸引することによってボトル１内に生じる負圧を解消する程度に通気性を有することが好ましい。フィルタ１４の材質としては、織布、不織布、樹脂多孔質体等いずれも特に制限なく使用できる。
【００１９】
この飲用キャップ１０は、飲料物を飲む際に、ボトル１の筒状部２から蓋を外し、その筒状部２に、装着して使用される。
【００２０】
飲用キャップ１０がボトル１に装着された状態では、図に示したように、キャップ１０の雌ねじ１１がボトル１の雄ねじ４に螺合して、キャップ１０がボトル１に係止され、かつ、それらの間の水密を維持する。
【００２１】
そして、ストロー１２の他端を咥えて、ボトル１内の飲料物を吸い込む。その際、ボトル１内は負圧になるが、通気パイプ１３を介して外部の空気が導入されるので、吸引に支障を来たすことはない。また、その際も、フィルタ１４によって異物の侵入が阻止されるので、飲料物が衛生的に保護される。
【００２２】
また、誤って、ボトル１を倒した場合にも、通気パイプ１３に、フィルタ１４が介在されているので、フィルタ１４によって内部飲料物が外部に漏れ出るのが低減される。
【００２３】
なお、上記実施の形態では、ボトル１へのキャップ１０の係止手段として、雌ねじ１１を示しているが、例えば、キャップ１０をボトル１の筒状部２の内壁に装着させるようにした場合には、雌ねじ１１は必要としない。また、ボトル１の筒状部２が外周面に雄ねじ４を備えていない場合には、キャップ１０を筒状部２の外周面に嵌着させる構造のものが考えられる。
【００２４】
また、上記実施の形態では、フィルタ１４を通気パイプ１３に介在させているが、フィルタ１４をキャップ１０の天井部１０ａに形成した孔に直接埋設させてもよい。
【００２５】
また、キャップ１０，ストロー１２，通気パイプ１３，フィルタ１４等をリサイクル可能な安価な合成樹脂によって形成し、使い捨ての物とすることも衛生上好ましい。
【産業上の利用可能性】
【００２６】
本考案に係るボトルの飲用キャップは、空気取入れ用孔にフィルタが装填されているので、外部から異物が混入する虞がなく、内部飲用物を衛生的に維持することができる。また、誤ってボトルを倒しても、フィルタによって内部飲用物が外部に漏れ出るのを低減させることができる。そのため、手が不自由な人でも、市販されているペットボトル等の飲用ボトルに装着することにより、ボトル内の飲料物を容易に、しかも衛生的に飲むことができ、介護等が必要な人を収容している病院、介護施設等において、極めて有効に使用することができる。
【符号の説明】
【００２７】
１  ボトル
２  筒状部
２ａ  開口
３  底壁
３ａ  中央部
３ｂ  周縁部
４  雄ねじ
１０  飲用キャップ
１０ａ  天井部
１０ｂ  筒状壁
１１  雌ねじ（係止部）
１２  吸引ストロー
１２ａ  一端
１２ｂ  他端
１３  通気パイプ
１３ａ  拡大部
１４  フィルタ
【図１】
0003172476.tif 000003